(57)【要約】【課題】仕切材の形成に要する手間を更に省略することができる仕切材を提供する。【解決手段】身箱の底面上に配置される底面板２１と、一辺が底面板２１と折目部３４においてつながり、折目部３４から折り曲げられることにより底面板２１から立ち上る立上壁３１と、が設けられ、立上壁３１には、折目部３４と略平行に延び、立上壁３１を構成する板状部材３２，３２を二つ折りにして重ね合わせる折返し部３３が設けられ、底面板２１には、折返し部３３により二つ折りにされた立上壁３１の先端と係止される係止部２６が設けられていることを特徴とする。このようにすることで、折目部３４および折返し部３３において板状部材３２を折り曲げて、先端を係止部２６に係止させるという一連の作業のみで立上壁３１を形成することができる。【選択図】  図３
0003183027.tif 000002
【実用新案登録請求の範囲】
【請求項１】
身箱の底面上に配置される底面板と、
一辺が前記底面板と折目部においてつながり、該折目部から折り曲げられることにより前記底面板から立ち上る立上壁と、
が設けられた仕切材であって、
前記立上壁には、前記折目部と略平行に延び、前記立上壁を構成する板状部材を二つ折りにして重ね合わせる折返し部が設けられ、
前記底面板には、前記折返し部により二つ折りにされた前記立上壁の先端と係止される係止部が設けられていることを特徴とする仕切材。
【請求項２】
前記底面板には、前記立上壁における前記折目部と隣接する一対の側辺と対向する領域に延びる対向部が設けられ、
前記係止部は、前記対向部に設けられていることを特徴とする請求項１記載の仕切材。
【請求項３】
前記係止部は、前記対向部における前記側辺と対向する辺から、前記立上壁に向かって凸状に突出して形成されていることを特徴とする請求項２記載の仕切材。
【請求項４】
前記係止部は、平面状に延ばした前記立上壁における折目部と折返し部との間と対応する領域に設けられていることを特徴とする請求項１から３の記載の仕切材。
【考案の詳細な説明】
【技術分野】
【０００１】
本考案は、仕切材に関する。
【背景技術】
【０００２】
ギフト品などの商品を包装する紙器として、身箱の内部に厚紙シートなどを折り曲げた仕切材を配置したものが知られている。商品は仕切材により区画された身箱の内部に所望の配列で収納される。
【０００３】
仕切材としては、二つ折りにされた厚紙シートを糊などの接着手段を用いて貼り合わせたものを用いることが多かった。しかしながら、二つ折りにされた厚紙シートを張り合わせるには、糊が乾くまで貼り合わせる厚紙シートが圧着された状態を保持する必要があり、手間がかかるという問題があった。
【０００４】
この問題を解決するために、二つ折りの厚紙シートの一方に係止片を設け、他方に係止片が押し込まれる貫穴を設ける技術が提案されている（例えば、特許文献１参照。）。係止片には貫穴に押し込まれた際に、貫穴よりも外側に突出する突出部が設けられている。突出部は係止片が貫穴に押し込まれると、貫穴の周囲の厚紙シートと係止されるため、係止片は貫穴から抜けにくくなる。
【０００５】
このように、係止片を貫穴に押し込むだけで厚紙シートを二つ折りの状態に保つことができるため、厚紙シートが圧着された状態を保持する必要がなく、仕切材の形成に手間がかからない。
【先行技術文献】
【特許文献】
【０００６】
【特許文献１】特開２００１−３０１７４６号公報
【考案の概要】
【考案が解決しようとする課題】
【０００７】
上述の特許文献１に記載された仕切材では、接着手段を用いた場合と比較して厚紙シートを二つ折りに保つ手間が省略されるが、係止片および貫穴を形成する必要があり、かつ、係止片を貫穴に押し込む必要があるため、まだ手間がかかるという問題があった。
【０００８】
本考案は、上記の課題を解決するためになされたものであって、仕切材の形成に要する手間を更に省略することができる仕切材を提供することを目的とする。
【課題を解決するための手段】
【０００９】
上記目的を達成するために、本考案は、以下の手段を提供する。
本考案の仕切材は、身箱の底面上に配置される底面板と、一辺が前記底面板と折目部においてつながり、該折目部から折り曲げられることにより前記底面板から立ち上る立上壁と、が設けられた仕切材であって、前記立上壁には、前記折目部と略平行に延び、前記立上壁を構成する板状部材を二つ折りにして重ね合わせる折返し部が設けられ、前記底面板には、前記折返し部により二つ折りにされた前記立上壁の先端と係止される係止部が設けられていることを特徴とする仕切材。
【００１０】
本考案の仕切材によれば、折目部および折返し部において板状部材を折り曲げて、先端を係止部に係止させるという一連の作業のみで立上壁が形成される。そのため、特許文献
１の仕切材のように二つ折りを行う作業、および、係止片を貫穴に押し込む作業という異なる作業を行う必要がなく、仕切材の形成に要する手間を更に省略することができる。
【００１１】
また、立上壁は折目部において底面板とつながり、先端において底面板に設けられた係止部と係止されるため、接着手段などを用いることなく二つ折りの状態に保たれる。そのため、従来の仕切材のように糊などの接着手段を用いることなく仕切材を形成することができ、その手間を省略することができる。
【００１２】
上記考案において前記底面板には、前記立上壁における前記折目部と隣接する一対の側辺と対向する領域に延びる対向部が設けられ、前記係止部は、前記対向部に設けられていることが好ましい。
【００１３】
このように底面板の対向部に係止部を設けることにより、立上壁の先端を係止部に係止させる作業が行いやすくなる。つまり、折目部において折り曲げられた立上壁の先端の近傍には、底面板の対向部が配置されており、この対向部に係止部が設けられているため、立上壁の先端と係止部との間の距離は近くなり、両者を係止させる作業が行いやすくなる。
【００１４】
上記考案において前記係止部は、前記対向部における前記側辺と対向する辺から、前記立上壁に向かって凸状に突出して形成されていることが好ましい。
このように係止部を対向部から立上壁に向かって凸状に突出形状に形成することにより、係止部を容易に形成することができるとともに、係止部と立上壁の先端とを係止させることができる。つまり、折目部および折返し部において折り曲げる作業のみで立上壁の先端を係止部に係止させることができる。また、折返し部において二つ折りにされた立上壁が元の平面状の形状に戻ろうとすると、立上壁の先端が側辺から突出する係止部に引っ掛かるため、立上壁が二つ折りにされた状態が保たれる。
【００１５】
上記考案において前記係止部は、平面状に延ばした前記立上壁における折目部と折返し部との間と対応する領域に設けられていることが好ましい。
このように平面状に延ばした立上壁における折目部と折返し部との間に対応する近傍領域に係止部を設けることにより、仕切材により区画される身箱の内部に収納物を納めやすくなる。係止部が折返し部と先端との間に対応する遠方領域に設けられていると、立上壁の先端を係止部に係止させた際に、立上壁により占められる面積が広くなり収納物を身箱の内部に収めにくくなる。これに対して近傍領域に係止部を設けると、立上壁の先端を係止部に係止させた際に、立上壁により占められる面積が狭くなり収納物を身箱の内部に納めやすくなる。
【考案の効果】
【００１６】
本考案の仕切材によれば、折目部および折返し部において板状部材を折り曲げて、先端を係止部に係止させるという一連の作業のみで立上壁が形成されるため、仕切材の形成に要する手間を更に省略することができるという効果を奏する。
【図面の簡単な説明】
【００１７】
【図１】本考案に係る仕切材を備える包装箱の一実施形態を示す斜視図である。
【図２】図１の仕切材の構成を説明する展開図である。
【図３】図２の中央起立板の立ち上げ方法を説明する部分拡大斜視図である。
【図４】中央起立板が立ち上げられた状態を説明する部分拡大斜視図である。
【図５】身箱の長側面部に形成された凹部を説明する斜視図である。
【図６】身箱に仕切材を配置した状態を説明する斜視図である。
【考案を実施するための形態】
【００１８】
この考案の一実施形態に係る仕切材を備える包装箱について、図１から図６を参照しながら説明する。
本考案の仕切材１０は、缶ビールや缶ジュースなどの円筒状の商品（以下、単に「商品」と表記する。）を包装箱１に収める際に包装箱１の内部を、商品を納めやすい形状に区画するものである。また、隣接する商品の間に配置されて搬送時などの振動によって商品同士が衝突することを防止するものでもある。
【００１９】
図１の斜視図に示すように、包装箱１には、身箱５０と、仕切材１０と、が少なくとも設けられている。図１には図示されていないが、身箱５０と重ね合わされる蓋部が設けられていてもよい。身箱５０を蓋部で覆うことにより包装箱１の内部空間が形成される。
【００２０】
身箱５０は段ボールシートから形成されたものであって、内部に仕切材１０および商品を収納するものである。身箱５０には矩形に形成された板状部材である身箱底面（底面）５１と、身箱底面５１の各辺から延びる長側面部５２および短側面部５４と、から主に構成されている。長側面部５２は身箱底面５１の一対の長辺からそれぞれ延び、短側面部５４は身箱底面５１の一対の短辺からそれぞれ延びている。
【００２１】
仕切材１０は身箱５０の身箱底面５１の上に配置されるものであり、長側面部５２における略中央同士をつなぐように配置されている。さらに仕切材１０は段ボールシートから形成されたものであって、一枚の段ボールシートから図２に示す展開図の形状（略Ｈの形状）に切り出したものである。この略Ｈの形状を有する段ボールシートを折り曲げることにより、図１に示す形状の仕切材１０が形作られる。
【００２２】
仕切材１０には、図２に示すように底面板２１と、中央立上壁（立上壁）３１と、側方立上壁４１と、が主に設けられている。
底面板２１は身箱底面５１の上に配置される部材であり、中央立上壁３１および側方立上壁４１とつながる部材である。底面板２１は中央立上壁３１とつながる矩形状の中央部２２と、該中央部２２の端部から中央部２２が延びる方向と直交する方向に延びる一対の側部（対向部）２４と、から構成されている。側部２４は一方の端部が中央部２２にそろえられた形状に形成され、一対の側部２４の間に中央立上壁３１が配置されている。
【００２３】
側部２４における中央立上壁３１と対向する辺には、中央立上壁３１に向かって突出する係止部２６が設けられている。係止部２６は、後述する一対の中央起立板３２のうちの中央部２２側に配置された中央起立板３２と対向する位置に設けられている。
【００２４】
中央立上壁３１は一対の中央起立板（板状部材）３２、および、中央起立板３２に挟まれた中央折返し部（折返し部）３３から主に構成されている。一対の中央起立板３２のうちの中央部２２側に配置された中央起立板３２は、底面板２１とつながり、その境目は中央折目部（折目部）３４となっている。
【００２５】
側方立上壁４１は底面板２１の側部２４における端部に設けられるものであり、本実施形態では４つの側方立上壁４１が設けられた例に適用して説明する。側方立上壁４１は一対の側方起立板４２、および、側方起立板４２に挟まれた側方折返し部４３から主に構成されている。一対の側方起立板４２のうちの側部２４側に配置された側方起立板４２は、底面板２１とつながり、その境目は側方折目部４４となっている。一対の側方起立板４２には、身箱５０に対する仕切材１０の相対位置を固定させる係止突部４５が設けられている。係止突部４５は、身箱５０の長側面部５２に設けられたスリット状の凹部５３に嵌め込まれるものである。
【００２６】
次に、上記の構成からなる仕切材１０の組み立て方法について図３から図６を参照しながら説明する。まず、中央立上壁３１の形成が以下に説明するようにして行われる。
組立が行われる前の仕切材１０は、図２に示すような平面状の形状を有している。この状態から図３の斜視図に示すように、中央折目部３４から中央起立板３２を折り曲げて立ち上げるとともに、中央折返し部３３において中央起立板３２を二つ折りに折り曲げる。言い換えると一対の中央起立板３２が重ね合わされるように折り曲げる。
【００２７】
その後図４の斜視図に示すように、一対の中央起立板３２が重ね合わされると、中央起立板３２の先端が底面板２１の係止部２６と係止される。二つ折りにされた中央起立板３２は、元の平板状の形状に戻ろうとするが、その先端が係止部２６と係止されているため、底面板２１から立ち上り中央起立板３２が重ね合わされた状態が維持される。
【００２８】
次いで側方起立板４２の立ち上げ作業が行われる。中央立上壁３１の場合と同様に、側方折目部４４から側方立上壁４１を折り曲げて立ち上げるとともに、側方折返し部４３において側方立上壁４１を二つ折りに折り曲げる。つまり、側方起立板４２が重ね合わされるように折り曲げる。
【００２９】
この後、仕切材１０は図５および図６に示すように身箱５０の内部に配置される。身箱５０の長側面部５２には凹部５３が設けられており、仕切材１０の係止突部４５が凹部５３に嵌め込まれる。このようにすることで、身箱５０に対する仕切材１０の相対位置が定められる。また、側方起立板４２が二つ折りにされた状態で維持されるとともに、立ち上った状態で維持される。
【００３０】
上記の構成の仕切材１０によれば、中央折目部３４および中央折返し部３３において中央起立板３２を折り曲げて、先端を係止部２６に係止させるという一連の作業のみで中央立上壁３１が形成される。そのため、特許文献１の仕切材のように二つ折りを行う作業、および、係止片を貫穴に押し込む作業という異なる作業を行う必要がなく、仕切材１０の形成に要する手間を更に省略することができる。
【００３１】
また、中央立上壁３１は中央折目部３４において底面板２１とつながり、先端において底面板２１に設けられた係止部２６と係止されるため、接着手段などを用いることなく二つ折りの状態に保たれる。そのため、従来の仕切材のように糊などの接着手段を用いることなく仕切材１０を形成することができ、その手間を省略することができる。
【００３２】
底面板２１の側部２４に係止部２６を設けることにより、中央立上壁３１の先端を係止部２６に係止させる作業が行いやすくなる。つまり、中央折目部３４において折り曲げられた中央立上壁３１の先端の近傍には、底面板２１の側部２４が配置されており、この側部２４に係止部２６が設けられているため、中央立上壁３１の先端と係止部２６との間の距離は近くなり、両者を係止させる作業が行いやすくなる。
【００３３】
係止部２６を側部２４から中央立上壁３１に向かって凸状に突出形状に形成することにより、係止部２６を容易に形成することができるとともに、係止部２６と中央立上壁３１の先端とを係止させることができる。つまり、中央折目部３４および中央折返し部３３において折り曲げる作業のみで中央立上壁３１の先端を係止部２６に係止させることができる。また、中央折返し部３３において二つ折りにされた中央立上壁３１が元の平面状の形状に戻ろうとすると、中央立上壁３１の先端が側辺から突出する係止部に引っ掛かるため、中央立上壁３１が二つ折りにされた状態が保たれる。
【００３４】
平面状に延ばした中央立上壁３１における中央折目部３４と中央折返し部３３との間に対応する近傍領域に係止部２６を設けることにより、仕切材１０により区画される身箱５
０の内部に収納物を納めやすくなる。係止部２６が中央折返し部３３と先端との間に対応する遠方領域に設けられていると、中央立上壁３１の先端を係止部に係止させた際に、中央立上壁３１により占められる面積が広くなり収納物を身箱５０の内部に収めにくくなる。これに対して近傍領域に係止部２６を設けると、中央立上壁３１の先端を係止部２６に係止させた際に、中央立上壁３１により占められる面積が狭くなり収納物を身箱５０の内部に納めやすくなる。
【００３５】
なお、本考案の技術範囲は上記実施形態に限定されるものではなく、本考案の趣旨を逸脱しない範囲において種々の変更を加えることが可能である。例えば、上記の実施の形態においては、身箱５０および仕切材１０が段ボールシートから構成されているものに適用して説明したが、段ボールシートから構成されているものに限られることなく、可撓性のある樹脂や厚紙等、その他各種のシート状の部材を用いて構成されたものに適用することができるものである。
【符号の説明】
【００３６】
１０…仕切材、２１…底面板、２４…側部（対向部）、２６…係止部、３１…中央立上壁（立上壁）、３２…中央起立板（板状部材）、３３…中央折返し部（折返し部）、３４…中央折目部（折目部）、５０…身箱、５１…身箱底面（底面）
【図１】
0003183027.tif 000003
【図２】
0003183027.tif 000004
【図３】
0003183027.tif 000005
【図４】
0003183027.tif 000006
【図５】
0003183027.tif 000007
【図６】
0003183027.tif 000008